(57)【特許請求の範囲】
【請求項１】
建物の昇降路内で上下方向に移動可能に設けられたかご及びカウンタウェイトを該昇降路内に吊すロープが巻き掛けられるメインシーブと、
メインシーブを回転駆動するモータと、
メインシーブに接するロープにおけるターン部を外方から覆う第一カバー部と、
ターン部に連続し且つメインシーブに対して接線方向に延びるロープにおける一対のストレート部の少なくとも何れか一方を外方から覆う第二カバー部と、
建物の構造体に連結されるマシンベースと、
上下方向、及び、メインシーブの回転軸のそれぞれに直交する方向にスライド可能な状態でマシンベース上に配置される受部材と、を含み、
第二カバー部は、ロープにおけるストレート部の延びる方向に並ぶ一方のカバー体及び第一カバー部と一方のカバー体との間に配置される他方のカバー体を含み、
一方のカバー体及び他方のカバー体は、それぞれ、ロープにおけるストレート部を覆った状態とロープにおけるストレート部を外部に露呈させた状態とに位置変更可能に構成され、
他方のカバー体は、少なくともロープにおけるストレート部を覆った状態で定位置に固定可能に設けられるとともに、第一カバー部と隣り合う一端部を回転支点にして回転可能に設けられ、且つ、任意の回転角度で固定可能に設けられ、
一方のカバー体は、ロープにおけるストレート部の延びる方向の他方のカバー体から遠い側に位置する一端部を回転支点にして回転可能に設けられ、
一方のカバー体の他方のカバー体から遠い側に位置する一端部は、受部材に連結するとともに、上下方向、及び、メインシーブの回転軸のそれぞれに直交する方向に位置変更可能である、
ことを特徴とするエレベータ用巻上装置。
【請求項２】
一方のカバー体は、ロープを覆った状態で他方のカバー体に対して外方側から重なるように構成されている
請求項１に記載のエレベータ用巻上装置。
【請求項３】
メインシーブに対して上下方向及び上下方向と直交する方向でずれた位置に配置されたデフレクターシーブを備え、
ロープにおける一対のストレート部のうちの少なくとも一方のストレート部は、メインシーブとデフレクターシーブとに架け渡され、
第二カバー部を構成する二つのカバー体は、メインシーブとデフレクターシーブとに架け渡されたロープにおけるストレート部を覆い、
二つのカバー体のうちの一方のカバー体の一端部は、上下方向と直交する方向に位置変更可能に設けられる
請求項２に記載のエレベータ用巻上装置。
【請求項４】
建物内の昇降路で上下方向に移動可能に設けられたかごと、
昇降路で上下方向に移動可能に設けられたカウンタウェイトと、
かご及びカウンタウェイトを昇降路内に吊すロープと、
ロープが巻き掛けられるメインシーブ及びメインシーブを回転駆動するモータを含むエレベータ用巻上装置であって、請求項１乃至３の何れか１項に記載のエレベータ用巻上装置とを備える
ことを特徴とするエレベータ。
【請求項５】
建物の昇降路内で上下方向に移動可能に設けられたかご及びカウンタウェイトを該昇降路内に吊すロープにおける一部であって、モータの駆動を受けて回転するメインシーブに巻き掛けられて該メインシーブに沿ったロープにおけるターン部を外方から覆う第一カバー部と、
ロープの一部であって、ターン部に連続し且つメインシーブに対して接線方向に延びるロープにおける一対のストレート部の少なくとも何れか一方を外方から覆う第二カバー部とを含み、
第二カバー部は、ロープにおけるストレート部の延びる方向に並ぶ一方のカバー体及び第一カバー部と一方のカバー体との間に配置される他方のカバー体を含み、
一方のカバー体及び他方のカバー体は、それぞれ、ロープにおけるストレート部を覆った状態とロープにおけるストレート部を外部に露呈させた状態とに位置変更可能に構成され、
他方のカバー体は、少なくともロープにおけるストレート部を覆った状態で定位置に固定可能に設けられるとともに、第一カバー部と隣り合う一端部を回転支点にして回転可能に設けられ、且つ、任意の回転角度で固定可能に設けられ、
一方のカバー体は、ロープにおけるストレート部の延びる方向の他方のカバー体から遠い側に位置する一端部を回転支点にして回転可能に設けられ、
一方のカバー体の他方のカバー体から遠い側に位置する一端部は、上下方向、及び、メインシーブの回転軸のそれぞれに直交する方向にスライド可能な状態で建物の構造体に連結されるマシンベース上に配置される受部材に連結するとともに、上下方向、及び、メインシーブの回転軸のそれぞれに直交する方向に位置変更可能である、
ことを特徴とする巻上装置用ロープカバー。
【発明の詳細な説明】
【技術分野】
【０００１】
本発明は、建物内の昇降路でかごを昇降させるエレベータ用巻上装置、エレベータ及び巻上装置用ロープカバーに関する。
【背景技術】
【０００２】
エレベータは、建物内の昇降路で上下方向に移動可能に設けられたかごと、昇降路で上下方向に移動可能に設けられたカウンタウェイトと、かごとカウンタウェイトとを繋ぐロープと、ロープを長手方向に送るエレベータ用巻上装置（以下、巻上装置という）とを備える。
【０００３】
巻上装置は、ロープが巻き掛けられるメインシーブと、該メインシーブを回転駆動するモータとを含み、昇降路に対して上下方向で直列に並ぶ領域内に配置される。かかる巻上装置は、モータの駆動によってメインシーブを正逆転させることで、メインシーブに巻き掛けられたロープを長手方向に送り、かご及びカウンタウェイトを昇降させる。
【０００４】
巻上装置やロープは、作業者によって保守・点検される。保守・点検を行うに際し、作業者が各種機器の動作領域に近づく必要があるため、作業者の安全を確保すべく、この種のエレベータは、かごの昇降時に動作する部分を覆うカバー部を備える。
【０００５】
具体的には、この種のエレベータにおいて、長尺なロープがメインシーブに巻き掛けられるため、図７に示す如く、ロープ１００がメインシーブ１０２上でＵターンした態様になる。すなわち、作業者の近づく領域内にあるロープ１００は、メインシーブ１０２の外周に沿ったターン部１００ａと、ターン部１００ａに連続する一対のストレート部１００ｂであって、それぞれがメインシーブ１０２の外周に対して接線方向に延びる一対のストレート部１００ｂとを含む。これに伴い、巻上装置１０１は、メインシーブ１０２の外周の一部であって、ロープ１００のターン部１００ａの存在する領域を覆う第一カバー部１０３を備える。また、巻上装置１０１は、第一カバー部１０３に加え、ロープ１００のストレート部１００ｂを覆う第二カバー部１０４を備える（例えば、特許文献１参照）。
【０００６】
第一カバー部１０３及び第二カバー部１０４は、連続して配置される。すなわち、第一カバー部１０３及び第二カバー部１０４は、作業者の接近する領域内にあるロープ１００の移動軌跡に沿って配置され、ロープ１００（ロープ１００の移動軌跡）を外側から覆う（囲む）。
【０００７】
これにより、作業者が保守・点検を行う際に、作業者が巻上装置１０１やロープ１００の動作部分に対して不用意に接触することが防止される。
【０００８】
ところで、作業者は、ロープ１００の保守・点検を行うに際し、ロープ１００のストレート部１００ｂの状態を確認する。すなわち、ロープ１００の点検（損傷の有無の確認等）を行うには、ロープ１００全体（ロープ１００の外周全体）の状態を確認する必要があるが、ロープ１００のターン部１００ａは、メインシーブ１０２に接触しているため、外周全体を確認できない状態になっている。
【０００９】
そのため、作業者は、ロープ１００におけるメインシーブ１０２に巻き掛けられていない部分（ストレート部１００ｂ）の状態を確認する。
【００１０】
しかしながら、従来の巻上装置１０１においては、第二カバー部１０４がロープ１００のストレート部１００ｂ（ロープ１００の移動軌跡）を外側から覆っているため、そのままでの状態ではロープ１００のストレート部１００ｂ全体を確認することができない。
【００１１】
そのため、従来の巻上装置１０１では、作業者がロープ１００の点検（確認）を行うときに、少なくとも第二カバー部１０４（図７に示すタイプのものは第一カバー部１０３及び第二カバー部１０４）を取り外し、点検（確認）後に少なくとも第二カバー部１０４（図７に示すタイプのものは第一カバー部１０３及び第二カバー部１０４）を取り付ける必要がある。従って、従来の巻上装置１０１は、ロープ１００の保守・点検作業に手間がかかるといった問題がある。
【先行技術文献】
【特許文献】
【００１２】
【特許文献１】特開平１１−７９６０４号公報
【発明の概要】
【発明が解決しようとする課題】
【００１３】
そこで、本発明は、作業者の安全を確保した上で、ロープの保守・点検作業の作業性を向上させることのできるエレベータ用巻上装置、エレベータ、及び巻上装置用ロープカバーを提供することを課題とする。
【課題を解決するための手段】
【００１４】
本発明に係るエレベータ用巻上装置は、建物の昇降路内で上下方向に移動可能に設けられたかご及びカウンタウェイトを該昇降路内に吊すロープが巻き掛けられるメインシーブと、メインシーブを回転駆動するモータと、メインシーブに接するロープにおけるターン部を外方から覆う第一カバー部と、ターン部に連続し且つメインシーブに対して接線方向に延びるロープにおける一対のストレート部の少なくとも何れか一方を外方から覆う第二カバー部と、建物の構造体に連結されるマシンベースと、上下方向、及び、メインシーブの回転軸のそれぞれに直交する方向にスライド可能な状態でマシンベース上に配置される受部材と、を含み、第二カバー部は、ロープにおけるストレート部の延びる方向に並ぶ一方のカバー体及び第一カバー部と一方のカバー体との間に配置される他方のカバー体を含み、一方のカバー体及び他方のカバー体は、それぞれ、ロープにおけるストレート部を覆った状態とロープにおけるストレート部を外部に露呈させた状態とに位置変更可能に構成され、他方のカバー体は、少なくともロープにおけるストレート部を覆った状態で定位置に固定可能に設けられるとともに、第一カバー部と隣り合う一端部を回転支点にして回転可能に設けられ、且つ、任意の回転角度で固定可能に設けられ、一方のカバー体は、ロープにおけるストレート部の延びる方向の他方のカバー体から遠い側に位置する一端部を回転支点にして回転可能に設けられ、一方のカバー体の他方のカバー体から遠い側に位置する一端部は、受部材に連結するとともに、上下方向、及び、メインシーブの回転軸のそれぞれに直交する方向に位置変更可能である、ことを特徴とする。
【００１５】
上記構成によれば、第一カバー部がメインシーブに接するロープにおけるターン部を外方から覆い、第二カバー部がターン部に連続し且つメインシーブに対して接線方向に延びるロープにおける一対のストレート部の少なくとも何れか一方（メインシーブから延びるロープにおける一端側及び他端側の少なくとも何れか一方）を外方から覆うため、保守・点検を行う作業者が、メインシーブ及びその周辺に近づいても、メインシーブやロープに直接触れることが防止される。
【００１６】
そして、第二カバー部の少なくとも一部は、ロープにおけるストレート部を覆った状態とロープにおけるストレート部を外部に露呈させた状態とに位置変更可能に構成されるため、作業者が保守・点検するに当り、第二カバー部の少なくとも一部を位置変更させるだけで、ロープのストレート部を確認できる状態にすることができ、また、保守・点検が終了した後に、第二カバー部の少なくとも一部を位置変更させるだけで、ロープにおけるストレート部を外方から覆った状態に戻すことができる。
しかも、上記構成によれば、二つのカバー体のうちの少なくとも何れか一方のカバー体（第二カバー部の少なくとも一部であるカバー体）が一端部を回転支点にして回転することで、該カバー体がロープにおけるストレート部を覆った状態とロープにおけるストレート部を外部に露呈させた状態とに位置変更する。従って、保守・点検時における作業性が向上する。
【００１９】
この場合、一方のカバー体は、ロープを覆った状態で他方のカバー体に対して外方側から重なるように構成されてもよい。
【００２０】
上記構成によれば、一方のカバー体がロープにおけるストレート部を覆った状態で、該一方のカバー体が他方のカバー体に支持される。すなわち、一方のカバー体は、ロープにおけるストレート部を覆った状態で、他方のカバー体に位置決めされる。従って、第二カバー部がロープにおけるストレート部を覆った状態にするに当り、煩雑な作業を伴うことなくカバー体が適正な位置に配置される。
【００２１】
これらの場合、エレベータ用巻上装置は、メインシーブに対して上下方向及び上下方向と直交する方向でずれた位置に配置されたデフレクターシーブを備え、ロープにおける一対のストレート部のうちの少なくとも一方のストレート部は、メインシーブとデフレクターシーブとに架け渡され、第二カバー部を構成する二つのカバー体は、メインシーブとデフレクターシーブとに架け渡されたロープにおけるストレート部を覆い、二つのカバー体のうちの一方のカバー体の一端部は、上下方向と直交する方向に位置変更可能に設けられてもよい。
【００２２】
上記構成によれば、デフレクターシーブがメインシーブに対して上下方向及び上下方向と直交する方向で位置ずれて配置されるため、メインシーブとデフレクターシーブとに架け渡されたロープのストレート部は上下方向に対して傾斜する方向に延びる。従って、傾斜したロープにおけるストレート部が第二カバー部によって覆われ、その一部を構成する一方のカバー体が回転されること（位置変更されることで）で、傾斜したロープにおけるストレート部が外部に露呈する。これにより、作業者は、ロープにおけるストレート部全体の確認を容易に行うことができる。
【００２３】
デフレクターシーブは、ロープの配置をずらすためのものであり、その配置が調整されることがある。これに伴い、メインシーブとデフレクターシーブとに架け渡されたロープにおけるストレート部の傾斜角度も変わることになるが、上述の如く、他方のカバー体は、回転支点にして回転可能に設けられるとともに、任意の回転角度で固定可能に設けられているため、ロープにおけるストレート部の姿勢（傾斜）に対応した角度で維持する。そして、一方のカバー体は、回転支点となる一端部が上下方向と直交する方向に位置変更可能に設けられているため、一端側の配置を変更することで、姿勢変更（角度変更）された他方のカバー体の姿勢に対応した姿勢になる。この状態で一方のカバー体の他端と他方のカバー体の他端との位置関係（距離）も変更されることになるが、ロープにおけるストレート部を覆った状態で、一方のカバー体が他方のカバー体に対して重なるように構成されているため、その重なり量が変更されるだけで、一方のカバー体は他方のカバー体に支持された状態になる。
【００２４】
従って、デフレクターシーブの配置を調整しても、第二カバー部（二つのカバー体）を着脱する作業や、二つのカバー体の位置合わせ作業（調整作業）を行うことなく、ロープのストレート部を適正に覆った状態にすることができる。
【００２５】
本発明に係るエレベータは、建物内の昇降路で上下方向に移動可能に設けられたかごと、昇降路で上下方向に移動可能に設けられたカウンタウェイトと、かご及びカウンタウェイトを昇降路内に吊すロープと、ロープが巻き掛けられるメインシーブ及びメインシーブを回転駆動するモータを含むエレベータ用巻上装置であって、上記何れかのエレベータ用巻上装置とを備えることを特徴とする。
【００２６】
上記構成によれば、上記何れかの巻上装置を備えるため、上述の作用及び効果を奏することができる。
【００２７】
本発明に係る巻上装置用ロープカバーは、建物の昇降路内で上下方向に移動可能に設けられたかご及びカウンタウェイトを該昇降路内に吊すロープにおける一部であって、モータの駆動を受けて回転するメインシーブに巻き掛けられて該メインシーブに沿ったロープにおけるターン部を外方から覆う第一カバー部と、ロープの一部であって、ターン部に連続し且つメインシーブに対して接線方向に延びるロープにおける一対のストレート部の少なくとも何れか一方を外方から覆う第二カバー部とを含み、第二カバー部は、ロープにおけるストレート部の延びる方向に並ぶ一方のカバー体及び第一カバー部と一方のカバー体との間に配置される他方のカバー体を含み、一方のカバー体及び他方のカバー体は、それぞれ、ロープにおけるストレート部を覆った状態とロープにおけるストレート部を外部に露呈させた状態とに位置変更可能に構成され、他方のカバー体は、少なくともロープにおけるストレート部を覆った状態で定位置に固定可能に設けられるとともに、第一カバー部と隣り合う一端部を回転支点にして回転可能に設けられ、且つ、任意の回転角度で固定可能に設けられ、一方のカバー体は、ロープにおけるストレート部の延びる方向の他方のカバー体から遠い側に位置する一端部を回転支点にして回転可能に設けられ、一方のカバー体の他方のカバー体から遠い側に位置する一端部は、上下方向、及び、メインシーブの回転軸のそれぞれに直交する方向にスライド可能な状態で建物の構造体に連結されるマシンベース上に配置される受部材に連結するとともに、上下方向、及び、メインシーブの回転軸のそれぞれに直交する方向に位置変更可能であることを特徴とする。
【００２８】
上記構成によれば、第一カバー部がメインシーブに接するロープにおけるターン部を外方から覆い、第二カバー部がターン部に連続し且つメインシーブに対して接線方向に延びるロープにおける一対のストレート部の少なくとも何れか一方（メインシーブから延びるロープにおける一端側及び他端側の少なくとも何れか一方）を外方から覆うため、保守・点検を行う作業者が、メインシーブ及びその周辺に近づいても、メインシーブやロープに直接触れることが防止される。
【００２９】
そして、第二カバー部の少なくとも一部は、ロープにおけるストレート部を覆った状態とロープにおけるストレート部を外部に露呈させた状態とに位置変更可能に構成されるため、作業者が保守・点検するに当り、第二カバー部の少なくとも一部を位置変更させるだけで、ロープのストレート部を確認できる状態にすることができ、また、保守・点検が終了した後に、第二カバー部の少なくとも一部を位置変更させるだけで、ロープにおけるストレート部を外方から覆った状態に戻すことができる。
【発明の効果】
【００３０】
以上のように、本発明は、作業者の安全を確保した上で、ロープの保守・点検作業の作業性を向上させることができるという優れた効果を奏し得る。
【図面の簡単な説明】
【００３１】
【図１】図１は、本発明の一実施形態に係るエレベータの全体概略斜視図である。
【図２】図２は、同実施形態に係るエレベータ用巻上装置の概略正面図であって、第二カバー部がロープにおけるストレート部を覆った状態の概略正面図である。
【図３】図３は、同実施形態に係るエレベータ用巻上装置の概略正面図であって、第二カバー部がロープにおけるストレート部を外部に露呈させた状態の概略正面図である。
【図４】図４は、本発明の他実施形態に係るエレベータの概略斜視図である。
【図５】図５は、本発明の別の実施形態に係るエレベータ用巻上装置の概略正面図である。
【図６】図６は、本発明の別の実施形態に係るエレベータ用巻上装置の概略正面図である。
【図７】図７は、従来のエレベータ用巻上装置の概略正面図である。
【発明を実施するための形態】
【００３２】
以下、本発明の一実施形態について、添付図面を参照しつつ説明する。
【００３３】
図１に示す如く、エレベータ１は、建物内の昇降路１０で上下方向に移動可能に設けられたかご２と、昇降路１０で上下方向に移動可能に設けられたカウンタウェイト３と、かご２及びカウンタウェイト３を昇降路１０内に吊すロープ４と、ロープ４を長手方向に送るエレベータ用巻上装置（以下、単に巻上装置という）５とを備える。
【００３４】
かご２は、所定の人数を定員とし、その定員の利用者を収容可能に構成される。カウンタウェイト３は、かご２との重量バランスを図るもので、巻上装置５の負荷を軽減する。かご２及びカウンタウェイト３のそれぞれは、上述の如く、建物内の昇降路１０で上下方向に移動可能に設けられる。かご２及びカウンタウェイト３は、独立した昇降路１０で移動可能に設けられてもよいが、本実施形態においては、共通の昇降路１０内に配置され、その昇降路１０内で上下方向に移動する。なお、言うまでもないが、かご２及びカウンタウェイト３は、移動時に干渉することないように、上下方向と直交する横方向にずれた位置に配置される。
【００３５】
本実施形態において、ロープ４の一端側は、かご２に接続され、ロープ４の他端側は、カウンタウェイト３に接続される。ロープ４における一端と他端との間（かご２の接続される一端とカウンタウェイト３の接続される他端との間）は、昇降路１０に対して上下方向で隣り合う領域に配置されるシーブ（例えば、後述するメインシーブ５０や、デフレクターシーブ５２等）に適宜巻き掛けられる。
【００３６】
巻上装置５は、昇降路１０に対して上下方向で直列に並ぶ領域内に配置される。本実施形態においては、巻上装置５は、昇降路１０の上方にある領域（所謂、機械室）１１内に配置される。
【００３７】
巻上装置５は、図２及び図３に示す如く、ロープ４が巻き掛けられるメインシーブ５０と、該メインシーブ５０を回転駆動するモータ５１と、メインシーブ５０に対して上下方向及び上下方向と直交する方向でずれた位置に配置されたデフレクターシーブ５２と、モータ５１の駆動を停止させる制動装置５３と、これらを支持するマシンベース５４とを含む。本実施形態に係る巻上装置５は、上記構成に加え、自身の設置される領域１１内で移動するロープ４を覆うロープカバー（巻上装置用ロープカバー）６を備える（図１参照）。すなわち、巻上装置５（ロープカバー６）は、メインシーブ５０に接するロープ４におけるターン部４０を外方から覆う第一カバー部５５と、ターン部４０に連続し且つメインシーブ５０に対して接線方向に延びるロープ４における一対のストレート部４１，４１の少なくとも何れか一方を外方から覆う第二カバー部５６，５７とを含む。
【００３８】
メインシーブ５０は、所謂プーリであり、外周にロープ４を嵌め込むための溝（図示しない）を有する。
【００３９】
モータ５１は、図示しないロータやステータ等を収容したモータケース５１０と、モータケース５１０内のロータに連結され、モータケース５１０から外方に突出する駆動軸５１１であって、上下方向と直交する横方向に延びる駆動軸５１１とを有する。モータケース５１０は、マシンベース５４に固定される。モータ５１の駆動軸５１１には、メインシーブ５０が連結される。
【００４０】
デフレクターシーブ５２は、メインシーブ５０と同様、所謂プーリであり、外周にロープ４を嵌め込むための溝（図示しない）を有する。デフレクターシーブ５２は、自身の回転中心軸がメインシーブ５０の回転中心軸と平行又は略平行をなし、且つ自身の溝がメインシーブ５０の溝と同列になるように配置される。本実施形態において、デフレクターシーブ５２は、軸受５２０を介してマシンベース５４に固定されている。本実施形態に係るデフレクターシーブ５２は、上下方向と直交する横方向で位置調整可能で且つ適正位置で固定可能に設けられている。すなわち、デフレクターシーブ５２を軸支する軸受５２０がマシンベース５４に対して横方向に位置変更可能で且つ位置調整範囲内の任意位置で固定可能に設けられている。このように、本実施形態に係る巻上装置５は、デフレクターシーブ５２を備えるため、メインシーブ５０に巻き掛けられたロープ４における一対のストレート部４１，４１のうちの少なくとも一方のストレート部４１（本実施形態においては、一方のストレート部４１）は、メインシーブ５０とデフレクターシーブ５２とに架け渡される。
【００４１】
制動装置５３は、駆動軸５１１の回転を止めるもので、本実施形態において、制動装置５３には、モータ５１の駆動軸５１１に連結されたディスクロータ５３０と、ディスクロータ５３０の両側に配置される一対のブレーキパッド（図示しない）を接離方向に相対移動させるブレーキキャリパー５３１とを含むディスクブレーキが採用される。なお、ディスクロータ５３０は、メインシーブ５０とモータケース５１０との間に配置されている（図１参照）。
【００４２】
マシンベース５４は、上下方向と直交する横方向に延びる梁状のメインベース５４０であって、建物の構造体（柱或いは梁）に連結されるメインベース５４０を備える。また、マシンベース５４は、メインベース５４０に連結されるサブベース５４１とを備える。
【００４３】
上述の如く、巻上装置５は昇降路１０の上方にある領域である機械室１１内に配置されるため、マシンベース５４（メインベース５４０）は、昇降路１０と、該昇降路１０の上方にある機械室１１との間に配置される。本実施形態において、メインベース５４０は、デフレクターシーブ５２を支持する。すなわち、メインベース５４０には、デフレクターシーブ５２を軸支する軸受５２０が固定される。サブベース５４１は、メインベース５４０上に配置され、モータ５１を支持する。すなわち、サブベース５４１は、モータ５１の駆動軸５１１（メインシーブ５０の回転中心軸）がデフレクターシーブ５２の回転中心軸よりも上方に位置するように、モータ５１を支持する。
【００４４】
第一カバー部５５は、メインシーブ５０の外周の一部を覆う。本実施形態において、巻上装置５が昇降路１０の上方にある機械室１１内に配置されるため、ロープ４は、メインシーブ５０に対して上方側から巻き掛けられる。これに伴い、第一カバー部５５は、メインシーブ５０の上部を覆うように形成される。第一カバー部５５は、メインシーブ５０の一部を覆った状態で維持できるように固定される。すなわち、第一カバー部５５は、メインシーブ５０を覆う第一カバー本体部５５０と、第一カバー本体部５５０に接続された固定部５５１とを備え、固定部５５１がモータケース５１０或いはマシンベース５４に対して固定されることで、第一カバー本体部５５０が定位置で維持する。
【００４５】
本実施形態に係る巻上装置５において、第二カバー部５６，５７は、一対のストレート部４１，４１のそれぞれに対応して設けられる。すなわち、巻上装置５は、一対の第二カバー部５６，５７を備える。
【００４６】
本実施形態において、一対の第二カバー部５６，５７は構成を異にする。具体的には、一方の第二カバー部５６は、作業者の安全を確保するためだけに構成されたものであり、機械室１１にある他方のストレート部４１を覆った状態で定位置に固定される。本実施形態において、一方の第二カバー部５６は、ロープ４におけるターン部４０に繋がる他方のストレート部４１であって、ターン部４０から鉛直方向に垂下するストレート部４１を横方向から覆う。
【００４７】
これに対し、他方の第二カバー部５７は、作業者の安全を確保しつつ、作業者による保守・点検作業を可能するために構成されたものであり、他方の第二カバー部５７の少なくとも一部は、ロープ４におけるストレート部４１を覆った状態とロープ４におけるストレート部４１を外部に露呈させた状態とに位置変更可能に構成される。本実施形態において、他方の第二カバー部５７は、ロープ４におけるターン部４０に繋がる一方のストレート部４１であって、メインシーブ５０とデフレクターシーブ５２とに架け渡されてターン部４０から斜め下方に向けて延びるストレート部４１を上方側から覆う。
【００４８】
具体的に説明すると、他方の第二カバー部５７は、ロープ４におけるストレート部４１の延びる方向に並ぶ二つのカバー体５７ａ，５７ｂを含む。本実施形態において、第二カバー部５７を構成する二つのカバー体５７ａ，５７ｂは、メインシーブ５０とデフレクターシーブ５２とに架け渡されたロープ４における一方のストレート部４１を覆う。
【００４９】
二つのカバー体５７ａ，５７ｂのそれぞれは、平板状の本体部５７０ａ，５７０ｂと、本体部５７０ａ，５７０ｂの両端から本体部５７０ａ，５７０ｂと直交する方向に延びる一対の側壁部５７１ａ，５７１ｂとを備える。
【００５０】
一方のカバー体（以下、第一カバー体という）５７ａは、ロープ４におけるストレート部４１の延びる方向の一端部を回転支点にして回転可能に設けられている。また、第一カバー体５７ａの一端部は、上下方向と直交する方向に位置変更可能に設けられる。第一カバー体５７ａは、ロープ４を覆った状態で第二カバー体５７ｂに対して外方側から重なるように構成されている。すなわち、第一カバー体５７ａは、ロープ４のストレート部４１を覆った状態で自身の本体部５７０ａが第二カバー体５７ｂの本体部５７０ｂに対して外方側から重なるように形成されている。
【００５１】
具体的には、巻上装置５は、マシンベース５４上に配置される受部材５８と、上下方向及びロープ４の延びる方向と直交する方向に延びる軸線周りで受部材５８と第一カバー体５７ａとを相対回転可能に第一カバー体５７ａの一端部と受部材５８とを連結するヒンジ（以下、第一ヒンジという）５９とを有する。
【００５２】
受部材５８は、マシンベース５４（メインベース５４０）に固定される。本実施形態において、受部材５８は、マシンベース５４上の所定の範囲内において、上下方向及び軸の軸心の延びる方向のそれぞれに対して直交する方向位置変更可能で、所定の範囲内における任意位置で固定可能に設けられる。本実施形態において、受部材５８は、マシンベース５４上でスライド可能に設けられ、任意の位置でボルト止めされることで固定されるようになっている。
【００５３】
本実施形態において、第一ヒンジ５９は、一対の第一片部材５９０ａ，５９０ｂと、上下方向と直交する方向に延びる第一軸５９１であって、一対の第一片部材５９０ａ，５９０ｂを枢結する第一軸５９１とを備える。かかる第一ヒンジ５９において、一方の第一片部材５９０ａは、受部材５８に連結され、他方の第一片部材５９０ｂは、第一カバー体５７ａの一端部に連結される。
【００５４】
二つのカバー体５７ａ，５７ｂのうちの他方のカバー体（以下、第二カバー体という）５７ｂは、第一カバー部５５と隣り合う。すなわち、第二カバー体５７ｂは、第一カバー部５５と第一カバー体５７ａとの間に配置される。
【００５５】
第二カバー体５７ｂは、少なくともロープ４におけるストレート部４１を覆った状態で定位置に固定可能に設けられる。本実施形態において、第二カバー体５７ｂは、ロープ４におけるストレート部４１の延びる方向の一端部であって、第一カバー部５５と隣り合う一端部を回転支点にして回転可能に設けられるとともに、任意の回転角度で固定可能に設けられる。
【００５６】
具体的に説明すると、巻上装置５は、上下方向及びロープ４の延びる方向と直交する方向に延びる軸線周りで第一カバー部５５と第二カバー体５７ｂとを相対回転可能に第二カバー体５７ｂの一端部と第一カバー部５５とを連結する第二ヒンジ６０を有する。
【００５７】
本実施形態において、第二ヒンジ６０は、一対の第二片部材６００ａ，６００ｂと、上下方向と直交する方向に延びる第二軸６０１であって、一対の第二片部材６００ａ，６００ｂを枢結する第二軸６０１とを備える。かかる第二ヒンジ６０において、一方の第二片部材６００ａは、第一カバー部５５に連結され、他方の第二片部材６００ｂは、第二カバー体５７ｂの一端部に連結される。
【００５８】
本実施形態に係る巻上装置５は、第二カバー体５７ｂを支持する支持部材６１を備える。支持部材６１は、一方向に長手をなし、長手方向の一端部がマシンベース５４に連結されるとともに、該一端部よりも他端側が第二カバー体５７ｂに連結される。
【００５９】
より具体的に説明すると、支持部材６１の長手方向の一端部は、マシンベース５４に固定された受台６１０に軸支されている。これにより、支持部材６１は、長手方向の一端部を回転支点にして、回転可能に設けられる。支持部材６１は、長手方向に延びる長孔６１１であって、第二カバー体５７ｂに連結するための軸体６１２を挿通させる長孔６１１を有する。長孔６１１に挿通される軸体６１２は、第二カバー体５７ｂに挿通又は固定された棒状の雄ねじ体である。支持部材６１は、長孔６１１に挿通された雄ねじ体６１２に螺合させた図示しない雌ねじ体（例えば、ナット）を締め付けることで第二カバー体５７ｂに連結され、第二カバー体５７ｂを支持する一方、雌ねじ体を弛めることで、第二カバー体５７ｂの支持を解除するようになっている。すなわち、雄ねじ体６１２に螺合された雌ねじ体を締め付けることで、支持部材６１が第二カバー体５７ｂを一定位置で支持する一方、雄ねじ体６１２に螺合された雌ねじ体を弛めることで、雄ねじ体６１２が長孔６１１に沿って移動可能となり、支持部材６１が回転する第二カバー体５７ｂの姿勢に応じて傾動するようになっている。これにより、支持部材６１は、第二カバー体５７ｂの回転（傾動）を許容する状態と、第二カバー体５７ｂを定位置で支持する状態とに切り換え可能になっている。
【００６０】
以上のように、本実施形態係るエレベータ１（巻上装置５）は、建物内の昇降路１０で上下方向に移動可能に設けられたかご２に一端側が接続されるとともに、昇降路１０で上下方向に移動可能に設けられたカウンタウェイト３に他端側が接続されたロープ４が巻き掛けられるメインシーブ５０と、メインシーブ５０を回転駆動するモータ５１と、メインシーブ５０に接するロープ４におけるターン部４０を外方から覆う第一カバー部５５と、ターン部４０に連続し且つメインシーブ５０に対して接線方向に延びるロープ４における一対のストレート部４１，４１の少なくとも何れか一方のストレート部４１を外方から覆う第二カバー部５７とを含み、第二カバー部５７の少なくとも一部は、ロープ４におけるストレート部４１を覆った状態（図２参照）とロープ４におけるストレート部４１を外部に露呈させた状態（図３参照）とに位置変更可能に構成される。
【００６１】
上記構成によれば、第一カバー部５５がメインシーブ５０に接するロープ４におけるターン部４０を外方から覆い、第二カバー部５７がターン部４０に連続し且つメインシーブ５０に対して接線方向に延びるロープ４における一対のストレート部４１，４１の少なくとも何れか一方（メインシーブ５０から延びるロープ４における一端側及び他端側の少なくとも何れか一方）のストレート部４１を外方から覆うため、保守・点検を行う作業者が、メインシーブ５０及びその周辺に近づいても、メインシーブ５０やロープ４に直接触れることが防止される。
【００６２】
そして、第二カバー部５７の少なくとも一部は、ロープ４におけるストレート部４１を覆った状態とロープ４におけるストレート部４１を外部に露呈させた状態とに位置変更可能に構成されるため、作業者が保守・点検するに当り、第二カバー部５７の少なくとも一部を位置変更させるだけで、ロープ４のストレート部４１を確認できる状態にすることができ、また、保守・点検が終了した後に、第二カバー部５７の少なくとも一部を位置変更させるだけで、ロープ４におけるストレート部４１を外方から覆った状態に戻すことができる。
【００６３】
特に、本実施形態において、第二カバー部５７は、ロープ４におけるストレート部４１の延びる方向に並ぶ二つのカバー体５７ａ，５７ｂを含み、二つのカバー体５７ａ，５７ｂのうちの少なくとも何れか一方のカバー体（本実施形態においては、第一カバー体）５７ａは、ロープ４におけるストレート部４１の延びる方向の一端部を回転支点にして回転可能に設けられているため、二つのカバー体５７ａ，５７ｂのうちの少なくとも何れか一方のカバー体（本実施形態においては、第二カバー部５７の少なくとも一部である第一カバー体）５７ａが一端部を回転支点にして回転することで、該カバー体５７ｂがロープ４におけるストレート部４１を覆った状態とロープ４におけるストレート部４１を外部に露呈させた状態とに位置変更する。従って、保守・点検時における作業性が向上する。
【００６４】
また、二つのカバー体５７ａ，５７ｂのうちの他方のカバー体（本実施形態においては、第二カバー体）５７ｂは、第一カバー部５５と第一カバー体５７ａとの間に配置されるとともに、少なくともロープ４におけるストレート部４１を覆った状態で定位置に固定可能に設けられ、第一カバー体５７ａは、ロープ４を覆った状態で第二カバー体５７ｂに対して外方側から重なるように構成されているため、第一カバー体５７ａがロープ４におけるストレート部４１を覆った状態で、該第一カバー体５７ａが第二カバー体５７ｂに支持される。すなわち、第一カバー体５７ａは、ロープ４におけるストレート部４１を覆った状態で、第二カバー体５７ｂに位置決めされる。従って、第二カバー部５７がロープ４におけるストレート部４１を覆った状態にするに当り、煩雑な作業を伴うことなくカバー体５７ａ，５７ｂが適正な位置に配置される。
【００６５】
さらに、本実施形態に係る巻上装置５は、メインシーブ５０に対して上下方向及び上下方向と直交する方向でずれた位置に配置されたデフレクターシーブ５２を備え、ロープ４における一対のストレート部４１，４１のうちの少なくとも一方のストレート部４１は、メインシーブ５０とデフレクターシーブ５２とに架け渡され、第二カバー部５７を構成する二つのカバー体５７ａ，５７ｂは、メインシーブ５０とデフレクターシーブ５２とに架け渡されたロープ４におけるストレート部４１を覆い、二つのカバー体５７ａ，５７ｂのうちの一方のカバー体（第一カバー体）５７ａの一端部は、上下方向と直交する方向に位置変更可能に設けられ、二つのカバー体５７ａ，５７ｂのうちの他方のカバー体（第二カバー体）５７ｂは、ロープ４におけるストレート部４１の延びる方向の第一カバー部５５と隣り合う一端部を回転支点にして回転可能に設けられるとともに、任意の回転角度で固定可能に設けられている。このように、ロープ４のストレート部４１がメインシーブ５０とデフレクターシーブ５２とに架け渡されると、ストレート部４１は上下方向に対して傾斜する方向に延びる。従って、傾斜したロープ４におけるストレート部４１が第二カバー部５７によって覆われ、その一部を構成する第一カバー体５７ａが回転されること（位置変更されることで）で、傾斜したロープ４におけるストレート部４１が外部に露呈する。これにより、作業者は、ロープ４におけるストレート部４１全体の確認を容易に行うことができる。
【００６６】
デフレクターシーブ５２は、ロープ４の配置をずらすためのものであり、その配置が調整されることがある。これに伴い、メインシーブ５０とデフレクターシーブ５２とに架け渡されたロープ４におけるストレート部４１の傾斜角度も変わることになるが、上述の如く、第二カバー体５７ｂは、回転支点にして回転可能に設けられるとともに、任意の回転角度で固定可能に設けられているため、ロープ４におけるストレート部４１の姿勢（傾斜）に対応した角度で維持する。そして、第一カバー体５７ａは、回転支点となる一端部が上下方向と直交する方向に位置変更可能に設けられているため、一端側の配置を変更することで、姿勢変更（角度変更）された第二カバー体５７ｂの姿勢に対応した姿勢になる。この状態で第一カバー体５７ａの他端と第二カバー体５７ｂの他端との位置関係（距離）も変更されることになるが、ロープ４におけるストレート部４１を覆った状態で、第一カバー体５７ａが第二カバー体５７ｂに対して重なるように構成されているため、その重なり量が変更されるだけで、第一カバー体５７ａは第二カバー体５７ｂに支持された状態になる。
【００６７】
従って、デフレクターシーブ５２の配置を調整しても、第二カバー部５７（二つのカバー体５７ａ，５７ｂ）を着脱する作業や、二つのカバー体５７ａ，５７ｂの位置合わせ作業（調整作業）を行うことなく、ロープ４のストレート部４１を適正に覆った状態にすることができる。
【００６８】
なお、本発明は、上記実施形態に限定されるものではなく、本発明の要旨を逸脱しない範囲で適宜変更を加え得ることは勿論である。
【００６９】
例えば、上記実施形態において、昇降路１０の上方にある領域（機械室１１）に巻上装置５が設置されるエレベータ１を対象に説明したが、これに限定されない。例えば、図４に示す如く、昇降路１０の下方にある領域に巻上装置５が設置される、所謂マシンルームレスのエレベータ１であってもよい。この場合、ロープ４のストレート部４１，４１がターン部４０から上方に延出することになるため、第一カバー部５５及び第二カバー部５６，５７は、上記実施形態で説明した配置に対して上下真逆に配置すればよい。この場合、機械室１１そのものは存在しないため、第二カバー部５６，５７は、作業者の立ち入る領域に配置されればよいことは言うまでもない。また、第二カバー部５６，５７の少なくとも一部が、ロープ４におけるストレート部４１を覆った状態とロープ４におけるストレート部を４１外部に露呈させた状態とに位置変更可能に構成されることは勿論のことである。
【００７０】
上記実施形態において、ロープ４の一端側がかご２に接続されるとともに、ロープ４の他端側がカウンタウェイト３に接続されたが、これに限定されない。例えば、ロープ４の一端側及び他端側が建物に固定されるとともに、ロープ４における一端と他端との間がメインシーブ５０に巻き掛けられ、ロープ４における一端とメインシーブ５０との間がかご２に設けられた滑車に巻き掛けられるとともに、ロープ４における他端とメインシーブ５０との間がカウンタウェイト３に設けられた滑車に巻き掛けらてもよい。すなわち、かご２及びカウンタウェイト３のそれぞれがロープ４の途中位置に巻き掛けられる動滑車を有するタイプのエレベータ１であってもよい。要は、ロープ４は、メインシーブ５０の回転に伴ってかご２及びカウンタウェイト３を昇降路１０内で昇降させることができる状態で、かご２及びカウンタウェイト３を昇降路１０内に吊していれば、該ロープ４の設置態様については、適宜変更可能である。
【００７１】
上記実施形態において、ロープ４における一対のストレート部４１，４１のそれぞれを覆う一対の第二カバー部５６，５７が異なる構成にされたが、これに限定されない。例えば、一対の第二カバー部５６，５７のそれぞれにおいて、一部がロープ４におけるストレート部４１を覆った状態とロープ４におけるストレート部４１を外部に露呈させた状態とに位置変更可能に構成されてもよい。
【００７２】
上記実施形態において、ロープ４における一対のストレート部４１，４１のそれぞれを覆う一対の第二カバー部５６，５７が設けられたが、これに限定されない。例えば、巻上装置５の配置の関係上、何れか一方のストレート部４１に対して作業者が近寄ることができない場合、残りのストレート部４１を第二カバー部５６，５７で覆うようにすればよい。但し、この場合、第二カバー部５６，５７において、その一部がロープ４におけるストレート部４１を覆った状態とロープ４におけるストレート部４１を外部に露呈させた状態とに位置変更可能に構成されることは勿論のことである。
【００７３】
上記実施形態において、他方の第二カバー部５７が第一カバー体５７ａと第二カバー体５７ｂとを備え、第一カバー体５７ａがロープ４におけるストレート部４１を覆った状態とロープ４におけるストレート部４１を外部に露呈させた状態とに位置変更可能に構成されたが、これに限定されない。すなわち、第二カバー部５７は、第一カバー体５７ａと第二カバー体５７ｂとを備えたものに限定されない。例えば、図５に示す如く、第二カバー部５７は、ストレート部４１を覆う単一のカバー本体であって、ストレート部４１の存在する領域に開口部５７５ａを有するカバー本体５７５と、開口部５７５ａを閉じる蓋体５７６とを備え、蓋体５７６を位置変更させることで、ロープ４におけるストレート部４１を覆った状態とロープ４におけるストレート部４１を外部に露呈させた状態とに切り換え可能としてもよい。この場合、蓋体５７６は、カバー本体５７５に対してヒンジ等を介して回転可能に連結され、開口部５７５ａと閉じた状態と開口部５７５ａを開放した状態に位置変更（姿勢変更）可能に設けられることが好ましい。
【００７４】
上記実施形態において、他方の第二カバー部５７が第一カバー体５７ａと第二カバー体５７ｂとを備え、第二カバー体５７ｂが一端部を回転支点にして回転することで、ロープ４におけるストレート部４１を覆った状態とロープ４におけるストレート部４１を外部に露呈させた状態とに位置変更するように構成されたが、これに限定されない。例えば、図６に示す如く、第二カバー部５７がロープ４のストレート部４１の延びる方向に並ぶ二つ以上のカバー体５７ａ，５７ｂを備え、そのうちの少なくとも何れか一つのカバー体５７ａが他のカバー体５７ｂに沿ってスライド可能に設けられることで、ロープ４におけるストレート部４１を覆った状態とロープ４におけるストレート部４１を外部に露呈させた状態とに位置変更するようにしてもよい。この場合においても、第二カバー部５７が第一カバー部５５に対して回転（傾動）可能に設けられ、任意の角度で固定可能に構成されることが好ましい。すなわち、上記実施形態と同様に、第二カバー部５７が回転可能に第一カバー部５５に連結されるとともに、第二カバー部５７の姿勢変更を許容しつつ第二カバー部５７を固定支持する支持部材６１を設けることが好ましい。
【００７５】
上記実施形態において、巻上装置５がデフレクターシーブ５２を備え、メインシーブ５０とデフレクターシーブ５２とに架け渡された一方のストレート部４１を覆う第二カバー部５７がロープ４におけるストレート部４１を覆った状態とロープ４におけるストレート部４１を外部に露呈させた状態とに切り換え可能に構成されたが、これに限定されない。例えば、巻上装置５がデフレクターシーブ５２を備えていない場合（例えば、図４参照）、メインシーブ５０に巻き掛けられたターン部４０に繋がって鉛直方向に延びるストレート部４１を覆う第二カバー部５６，５７がロープ４におけるストレート部４１を覆った状態とロープ４におけるストレート部４１を外部に露呈させた状態とに切り換え可能に構成されればよい。
【００７６】
上記実施形態において、デフレクターシーブ５２が横方向に位置変更（位置調整）可能に設けられることを前提に、第二カバー部５７が第一カバー部５５に対して回転可能に連結され、ロープ４のストレート部４１の傾斜態様に対応するようにしたが、これに限定されない。例えば、デフレクターシーブ５２の有無に関係なく、第二カバー部５７は、ロープ４のストレート部４１を覆った状態を保つように、一定位置で且つ一定姿勢で維持するように固定されていてもよい（図５参照）。
【符号の説明】
【００７７】
１…エレベータ、２…かご、３…カウンタウェイト、４…ロープ、５…巻上装置（エレベータ用巻上装置）、６…ロープカバー（巻上装置用ロープカバー）、１０…昇降路、１１…領域（機械室）、４０…ターン部、４１…ストレート部、５０…メインシーブ、５１…モータ、５２…デフレクターシーブ、５３…制動装置、５４…マシンベース、５５…第一カバー部、５６，５７…第二カバー部、５７ａ…第一カバー体（カバー体）、５７ｂ…第二カバー体（カバー体）、５８…受部材、５９…第一ヒンジ、６０…第二ヒンジ、６１…支持部材、５１０…モータケース、５１１…駆動軸、５２０…軸受、５３０…ディスクロータ、５３１…ブレーキキャリパー、５４０…メインベース、５４１…サブベース、５５０…第一カバー本体部、５５１…固定部、５７０ａ，５７０ｂ…本体部、５７１ａ，５７１ｂ…側壁部、５７５…カバー本体、５７５ａ…開口部、５７６…蓋体、５９０ａ，５９０ｂ…第一片部材、５９１…第一軸、６００ａ，６００ｂ…第二片部材、６０１…第二軸、６１０…受台、６１１…長孔、６１２…雄ねじ体（軸体）
【図１】
0006587150.tif 000002
【図２】
0006587150.tif 000003
【図３】
0006587150.tif 000004
【図４】
0006587150.tif 000005
【図５】
0006587150.tif 000006
【図６】
0006587150.tif 000007
【図７】
0006587150.tif 000008